(57)【要約】スポイルされたコンテンツを得るために、少なくとも１つのスポイラーがコンテンツに加えられ、このスポイルされたコンテンツが配信される、コンテンツ配信が提供される。実施例において、スポイルされたコンテンツは、現行のフォーマットと同様に他のフォーマットにも適合し、この他のフォーマットにおいて、スポイラーは取り除かれることができる。他の実施例では、スポイルされたコンテンツからどのようにしてスポイラーを取り除くのかを示す、デスポイル（スポイル除去）情報が提供される。
2004510192.tif 000002
【特許請求の範囲】
【請求項１】
コンテンツを配信する方法であって、スポイルされたコンテンツを得るように前記コンテンツに少なくとも１つのスポイラーを加えるステップと、前記スポイルされたコンテンツを配信するステップとを有する方法。
【請求項２】
前記スポイルされたコンテンツが、現行のフォーマットと同様に他のフォーマットにも適合し、前記他のフォーマットにおいて前記スポイラーは取り除かれることができる、請求項１に記載の方法。
【請求項３】
前記スポイルされたコンテンツから前記スポイラーをどのようにして取り除くのかを示すデスポイル情報を更に提供することを有する、請求項１又は２に記載の方法。
【請求項４】
前記デスポイル情報が、プロテクトをかけられた形式において少なくとも部分的に提供される、請求項３に記載の方法。
【請求項５】
前記デスポイル情報が、前記スポイルされたコンテンツ内に少なくとも部分的に隠蔽される、請求項４に記載の方法。
【請求項６】
前記デスポイル情報が、前記スポイルされたコンテンツ内に少なくとも部分的に暗号化される、請求項４に記載の方法。
【請求項７】
前記デスポイル情報が、追加のデスポイル情報をどこで得るのかを示すアドレス情報を提供する、請求項３に記載の方法。
【請求項８】
前記デスポイル情報が、追加のチャネルに少なくとも部分的に提供される、請求項４に記載の方法。
【請求項９】
前記スポイラーが、前記コンテンツの所与部分の端部に結び付けられる、請求項１又は２に記載の方法。
【請求項１０】
前記デスポイル情報が、前記スポイラーの位置を示す編集又はスキップリストを有する、請求項９に記載の方法。
【請求項１１】
前記コンテンツの一部分が、スポイラーによって置き換えられ、前記スポイルされたコンテンツの前記スポイラーを置き換えるために、どのようにして前記置き換えられたコンテンツ部分が得られることができるのかを前記デスポイル情報が更に示す、請求項３に記載の方法。
【請求項１２】
前記加えるステップは、前記スポイルされたコンテンツを得るように、前記元のコンテンツと前記少なくとも１つのスポイラーとを混ぜ合わせる、請求項１又は２に記載の方法。
【請求項１３】
前記スポイラーがノイズである、請求項１２に記載の方法。
【請求項１４】
前記スポイラーがメッセージである、請求項９又は１２に記載の方法。
【請求項１５】
スポイルされたコンテンツを受信する方法であって、前記スポイルされたコンテンツにおいて少なくとも１つのスポイラーを識別するステップと、デスポイルされた信号を得るように前記スポイルされたコンテンツから前記少なくとも１つのスポイラーを取り除くステップとを有する方法。
【請求項１６】
デスポイル情報を識別するステップと、前記取り除くステップにおいて前記デスポイル情報を用いるステップとを更に有する、請求項１５に記載の方法。
【請求項１７】
コンテンツを表す信号であって、少なくとも１つのスポイラーが前記コンテンツに加えられた信号。
【請求項１８】
スポイルされたコンテンツからスポイラーをどのようにして取り除くのかを示す、デスポイル情報を表す信号。
【請求項１９】
ロックされたデスポイル情報が、どのようにしてアンロックされうるのかを示す、キーを表す信号。
【請求項２０】
請求項１７、１８又は１９に記載された信号が、記憶された有形の媒体。
【請求項２１】
第１のデータ部分と第２のデータ部分とを有する有形の媒体であって、少なくとも１つのスポイラーが加えられるコンテンツを表す第１の信号が、前記第１のデータ部分に記憶され、更に、スポイルされたコンテンツからどのようにしてスポイラーを取り除くのかを示すデスポイル情報を表す第２の信号が、前記第２のデータ部分に記憶された有形の媒体。
【請求項２２】
コンテンツを配信する装置であって、スポイルされたコンテンツを得るように少なくとも１つのスポイラーを前記コンテンツに加える手段と、前記スポイルされたコンテンツを配信する手段とを有する装置。
【請求項２３】
スポイルされたコンテンツを受信する装置であって、前記スポイルされたコンテンツにおいて少なくとも１つのスポイラーを識別する手段と、デスポイルされた信号を得るように前記スポイルされたコンテンツから前記少なくとも１つのスポイラーを取り除く手段とを有する装置。
【請求項２４】
請求項２３に記載されたコンテンツを受信する装置と、前記デスポイルされた信号の表示を出力する出力ユニットとを有する再生装置。
【請求項２５】
プロセッサが請求項１５による方法を実行することができるようにするコンピュータプログラム。
【請求項２６】
請求項２５によるコンピュータプログラムを担持する信号。
【請求項２７】
請求項２５によるコンピュータプログラムを担持する有形の媒体。
【発明の詳細な説明】
【０００１】
【発明の属する技術分野】
本発明は、コンテンツの配信に関する。
【０００２】
【従来の技術】
米国特許第５，４７９，１６８号は、アナログ信号の極端に低い歪み再生を提供するために信号を符号化及び復号化する一方で、本特許明細書の復号化の特徴を組み込まない工業標準規格化される信号再生機器との互換性を保ち続ける電子の方法及び機器であって、符号化中に行われる信号分析を補完する信号再生成補償の適切な復号化を引き起こすように隠匿されている制御コードの下で全てを制御して、信号の歪みを減らすとともに明らかな解像度を向上するために、利得の相互作用、スルーレート及びウェーブ合成の動作を該システムが提供する、電子の方法及び機器を開示する。
【０００３】
【発明が解決しようとする課題】
本発明の目的は、コンテンツを配信する有利なやり方を提供することである。
【０００４】
【課題を解決するための手段】
この目的のために、本発明は、コンテンツを配信する方法及び装置と、スポイルされた（品質を損なわせた）コンテンツを受信する方法及び装置と、コンテンツを表す信号と、デスポイル（スポイル除去）情報を表す信号と、キーを表す信号と、有形の媒体と、再生装置と、コンピュータプログラムと、独立請求項に規定されるようなコンピュータプログラムを担持する信号とを提供する。有利な実施例は、従属請求項に規定される。
【０００５】
本発明の第１態様によると、コンテンツの配信において、スポイルされたコンテンツを得るために少なくとも１つのスポイラー（コピーを不能にするもの）がコンテンツに加えられ、このスポイルされたコンテンツが配信される。スポイラーは追加の成分であり、これを加えることによってコンテンツを劣化させる。従って、スポイルされたコンテンツは魅力が減少する。このことはコンテンツのプロバイダーにとって有利である。なぜなら、スポイルされたコンテンツは、スポイルされないコンテンツよりもずっと安価に販売される可能性があり、コピーされた素材に対してより強い競争力をつけられるからである。また、１枚のＣＤが２種類の価格で販売されてもよく、スポイラーをもつＣＤよりもスポイラーをもたないＣＤの方がより高価な価格で販売されることができる。更に、例えば、コンテンツが音楽の場合のインターネットを介するＭＰ３ファイルのように、コンテンツが圧縮され配信されると、スポイラーはコンテンツと共に居残ってしまう。符号化される信号は元の信号に比べて魅力が減少するので、ユーザはこのようにしてコンテンツをコピーすることをためらう。実施例によると、スポイラーは、ユーザにより必要とされる多少の努力の代償があれば、信号から取り除かれることができるけれども、このような努力をしてまでスポイラーを取り除くことをほとんどのユーザがためらうだろう。
【０００６】
有利に、スポイルされたコンテンツは、現行のフォーマットと同様に他のフォーマットにも適合し、この他のフォーマットにおいてスポイラーは取り除かれることができる。現行のプレーヤは、（スポイラーを伴って）劣化されたコンテンツを再生するのみであるのに対して、本発明による新しいプレーヤは、スポイラーを取り除く手段を有するので、従って元のコンテンツにより良く対応するより高い品質のコンテンツを提供することが可能である。このようにして、本発明によるレシーバをユーザが用いる動機（インセンティブ）が与えられ、これは製造業者及びコンテンツプロバイダーの双方にとって有利である。好適には、フォーマットが一般的に工業フォーマットである方がよい。本発明の実施例において、コンテンツは、例えば、ＣＤ（コンパクトディスク）に用いられる１６ビットＰＣＭ（パルスコード変調）信号などの工業標準規格信号に適合する。
【０００７】
特に音楽業界の発行元（レコード会社）は、コンテンツの不法な配信を制限するやり方を模索している。このコンテンツの不法配信は、例えば、発行されたディスクから盗み取られるＭＰ３ファイルの形式又はコピーされたＣＤの形式で起こりうる。現行のフォーマットでの発行をやめて、直ちに新しいフォーマットに変更することは商業的な魅力に乏しい。本発明は、より劣る魅力の品質を提供することによって、現行の標準規格フォーマットでの発行を続ける可能性を提供する。追加の信号成分、いわゆるスポイラーを取り除くことによって得られるもっと高い品質は、本発明による新しいプレーヤにおいてのみ得られることができる。デスポイル（スポイル除去）情報は、本発明によるプレーヤによってのみ識別可能であり、更に高度にコピー防止（コピープロテクト）されることもできる。好適に、スポイラーを取り除くことができる新しいプレーヤは、スポイルされないより高度な品質のコンテンツのコピーを防止する。
【０００８】
有利に、スポイルされたコンテンツからどのようにしてスポイラーを取り除くのかを示すデスポイル情報が提供される。このデスポイル情報を提供することは、配信業者にとって他のビジネスのチャンスにつながる。本発明の極端な実施例において、デスポイル情報はわずか１ビットを有し、かかる１ビットは予め決定されたスポイラーが信号内に存在するか否かを示す。
【０００９】
本発明の他の実施例において、デスポイル情報はプロテクトをかけられた形式で提供される。これにより、デスポイル情報を識別することがより困難になり、従ってスポイラーを取り除くこともより困難になる。デスポイル情報は、例えば、埋め込まれたデータ（米国特許第５，６４９，０５４号参照）又は上述された米国特許第５，４７９，１６８号の隠蔽された制御コードに類似するものなどのように、前記スポイルされたコンテンツ内に隠蔽されることができる。他の可能性は、スポイルされたコンテンツ内のデスポイル情報を暗号化することである。デスポイル情報が信号に存在する場合、デスポイル情報はコピーされる可能性がある。そうすると本発明によるレシーバで、コピーがデスポイルされることができる。
【００１０】
好適に、コピーはスポイルされたコンテンツをデスポイルするのに十分な情報を有していない。これは本発明の別の実施例で提供され、かかる実施例において、デスポイル情報は、追加のチャネルで少なくとも部分的に利用可能であり、例えば、ディスク上の物理的な印（マーク）又はインターネットからダウンロード可能なものである。スポイルされたコンテンツ内の暗号化されたデスポイル情報の場合においても同様のことが当てはまり、キーのうち少なくとも一部分が、追加のチャンネルに提供される。この場合、既存のコピー用機材は情報全体を読み込むことができないので、デスポイル情報の全てがコピーされるわけではない。従って、この実施例では、スポイラーはコピーされたコンテンツにおいて取り除かれることができない。
【００１１】
本発明のある実施例において、スポイラーは、例えば、元のコンテンツの一部分を置き換えて、コンテンツの一部分と結び付けられるのに対して、別の実施例では、スポイラーがコンテンツと混ぜ合わされる。スポイラーがコンテンツと混ぜ合わされる場合、スポイラー及びコンテンツは、別々の時間間隔で生じずに、主に同じ時間で生じる。混ぜ合わされたスポイラーの一例が、可聴式ウォーターマークのようなノイズである。宣伝又はジングル（短く響きの良い詞）のようなメッセージは、混ぜ合わされ及び／又は結び付けられることができる。
【００１２】
本発明は、オーディオ、ビデオ又は写真などに適用されることができる。本発明は、特にＣＤＤＡ（コンパクトディスクディジタルオーディオ）の場合に有利である。音楽業界は、広く受け入れられたフォーマットであるＣＤＤＡで発行し続けることができる。スポイラーをもつＣＤは、値引きされた価格で販売されてもよく、それによりスポイルされたＣＤがＣＤ−Ｒのコピーと競争できるようにする。デスポイル情報は、例えば、インターネット上でクレジットカードによる支払い可能にして、追加料金で販売されてもよい。本発明による特徴をもつＣＤは、その音楽がＣＤＤＡ標準規格フォーマットから外れていないので、既存のＣＤプレーヤで再生する。更に、ＣＤ２プレーヤにアップグレードする動機が存在し、これによりスポイラーを取り除くことができるとともに、同時に既存のＣＤプレーヤ及びレコーダよりもずっと優れたコピープロテクション（コピー防止）ルールを実施することができる。好ましい実施例において、コピーされたＣＤは、少なくとも１つのスポイラーを有するけれども、デスポイル情報をもはや有していない。このことはコピーを元のディスクと比べて低品位にする。
【００１３】
本発明の上述された態様及び他の態様は、本明細書の下文に説明される実施例から明らかとなり、これら実施例を参照として明瞭に説明されるであろう。
【００１４】
図面は、本発明を理解するのに必要な構成要素のみを示す。
【００１５】
以下の説明は、特にＣＤＤＡ（コンパクトディスクディジタルオーディオ）でのオーディオ配信に対処する。コンテンツの他の形態、例えば、ビデオ若しくは写真、又は他の媒体（メディア）に関しても、同様の原理が適用可能であることは、当業者にとって明らかであろう。
【００１６】
【発明の実施の形態】
図１は、本発明の実施例によるコンテンツの配信を示す。例えば、オーディオなどの元のコンテンツＡが、スポイラー装置１１の例としてディスク又はアンテナなどの入力部１０に与えられる。元のコンテンツＡは、通常、例えば圧縮されるなど符号化され、更にウォーターマークを有してもよい。スポイラーＳは、スポイラーユニット１１０から得られ、スポイルされた信号を表す信号Ａ／／Ｓを得るために追加手段１１１のコンテンツに加えられる。例えば、スポイラーが何らかのメッセージなどを表す場合、コンテンツＡでよりも、同じ圧縮メカニズムの対象にされることなど、スポイラーＳが好適に適切なフォーマットにおいて加えられることは、当業者にとって明らかであろう。更に、追加手段１１１は、デスポイル情報ｄｓｉを提供する。スポイルされたビットストリームＡ／／Ｓは、その後、例えばＣＤ−２などのチャネル１２を介して配信される。このデスポイル情報ｄｓｉは、例えば、インターネットダウンロードのような別のチャネル、又は埋め込まれたデータ若しくは補助データなどの同じチャネル１２などを用いて伝送される。
【００１７】
図２は、従来技術のレシーバ１３のスポイルされたコンテンツの再生を示す。従来技術のレシーバ１３は、スポイルされたコンテンツＡ／／Ｓからスポイラーを取り除くことができない。依然として、スポイルされたコンテンツは、このレシーバ１３により対処されることが可能なフォーマットに適合している。従って、従来技術のレシーバ１３は、出力装置１４において、元のコンテンツＡの代わりにスポイルされたコンテンツＡ／／Ｓを再生するだろう。このレシーバ１３は、出力部１４において再生されることが可能なアナログ信号を得るためにＤ／Ａコンバータ１３１を有する。出力ユニット１４がディジタル出力部である場合、Ｄ／Ａコンバータ１３１は省略されうる。出力ユニット１４は、アナログ及びディジタル出力の双方を供給することもできる。一般に、レシーバ１３１は、コンテンツＡを復号する何らかのデコード手段を有する。このようなデコーダは、スクランブルをかけられたオーディオに加えてスポイラーを予め聴くことができるようにするだろう。
【００１８】
図３は、本発明によるレシーバ１５においてスポイルされたコンテンツの再生を示す。適正なデコーダを使用することによって、デスポイルユニット１５０を用いてスポイラーＳが取り除かれることができる。この動作の結果が、Ａと類似するデスポイルされた信号であり、かかる信号は出力ユニット１４への出力になる。この実施例において、前記出力ユニットは、更に追加的に又は別の選択肢として、好適にスポイルされた信号Ａ／／Ｓを与えるディジタル出力部を有してもよい。
【００１９】
ＣＤＤＡのコンテンツは、該信号にスポイラーを加えることによって、ずっと魅力をなくされている。このようなスポイラーは、本発明によるレシーバ１５において取り除くことができる。他の実施例では、スポイラーを取り除くために用いられることができる情報がディスクに加えられる。好適に、このデスポイル情報（どのようにしてスポイラーを取り除くのかを示すという意味においてのデスポイル）は、既存のＣＤプレーヤ及びＣＤ−ＲＯＭプレーヤがデスポイル情報を読み込むことができないように、プロテクトをかけられた形式でディスクに記憶される。更に、このデスポイル情報は暗号化されることも可能である。特別なプレーヤによってのみ理解されることができるこの暗号化のキーは、ディスクに記憶されることができるが、又はもう一方の選択肢として、プレーヤに既に存在するインターネットでありうる別のチャネルを介して供給されるならば、ディスクに記憶されないこともできる。スポイルされた信号のスポイラーを取り除くことが可能な特別なプレーヤは、ＣＤ２プレーヤと呼ばれる。
【００２０】
簡略な実施例において、スポイラーは、例えば、ジングル又は宣伝のようなコマーシャルメッセージなどのメッセージであり、トラックの端部に加えられる。この実施例におけるデスポイル情報は、トラックのどの部分をスキップするのかをＣＤ２プレーヤに伝えるスキップリストを有する。このスキップリストは、ＣＤの第２のデータセッションに暗号化された形式で好適に記憶される。デスポイル情報を解読するキーもディスクに記憶されるが、例えば、２０００年８月１６日に出願された出願未公開の欧州特許出願第００２０２８８８．４号（整理番号ＰＨＮＬ０００４４８）に説明されたようなキーロッカーにこのキーを記憶して、専用のＣＤ２プレーヤのみによって読み込まれることができる。
【００２１】
このスポイラーは、ＣＤコピー用の既存の方法を用いてＣＤがコピーされる場合は、音楽と共に居残る。好ましい実施例において、既存のコピー用機材はデスポイル情報を読み込むことができないので、デスポイル情報（又はキー）はコピーされない。従って、コピーされたＣＤがデスポイルされることは不可能である。更に、音楽が、例えばＭＰ３などに圧縮され、インターネットを介して配信される場合も、スポイラーは音楽と共に居残る。
【００２２】
スポイラーのいくつかの例が、以下に与えられる。
トラック間の宣伝（スキップリストで除去）。
ラジオ放送局のように誰かがトラック間で音楽を予告（アナウンス）し説明する（スキップリストで除去）。
トラックの音楽の途中の宣伝（又は誰かのおしゃべり）。これはスポイラーを含むビットストリームを取り去ることによって、除去が行われることができる。
音声品質減少（個々のビットストリームに記憶される情報により復元が行われる。かかるビットストリームは、例えば、埋め込まれたデータ技法を用いることによって、ＰＣＭストリームに隠蔽されることができる。）
【００２３】
デスポイラー情報をアンロックするキーは、
インターネットからダウンロード可能であり、ＣＤ２プレーヤの内部に記憶されることができる。
インターネットからダウンロード可能であり、ディスクが情報を記録する能力をもつ場合、ディスクに記憶されることができる。
所与のプレーヤ又はディスクでしか使用されることができないキーが提供されることが可能であり、このキーは従って特有の識別子をもつ。
ＣＤ２プレーヤによってのみ読み込まれることが可能なやり方で発行されるディスクに記憶されることができる。
【００２４】
図４は、オーディオスポイラーフレームＳ１、Ｓ２と、オーディオフレームＡ１乃至Ａ５とが、どのようにしてスポイルされたオーディオビットストリームＡ／／Ｓに結び付けられることができるのかを示す。従って、元のオーディオビットストリームＡ及び可聴式スポイラーＳ１、Ｓ２は、同じビットレートにおいて、また空の補助データフィールドＡ０で圧縮される。この後、スポイラーペイロードＳ１、Ｓ２は、元のオーディオペイロードＡ３、Ａ４と置き換わり、スポイラーの位置における元のオーディオペイロードＡ３、Ａ４が、補助データとしてビットストリームＡ／／Ｓ内に埋め込まれる。
【００２５】
図５は、他の可聴式スポイラー埋め込み器を示す。ここで、補助データは、結果として生じるビットストリームにおいてのみ生成される。何らかの別のビットストリーム操作が必要かもしれないけれども、中間のビットストリームは、埋め込まれるべき可聴式スポイラーに依存しない。
【００２６】
本発明は、ディジタルオーディオプレーヤ、ＣＤ−ＤＡ、ＣＤ−２又はインターネット音楽配信に有利に適用される。
【００２７】
本発明の実施例は、１９９９年８月１３日に出願された出願未公開の欧州特許出願第９９２０２６３３．６号（整理番号ＰＨＮ１７．５８９）と組み合わせられてもよい。かかる特許出願は、ＭビットＰＣＭ信号の伝送を説明する。ここでは、信号が、整理番号ＰＨＮ１７．５８９出願特許の特徴を組み込まない工業標準規格信号再生機器との互換性を保つが、整理番号ＰＨＮ１７．５８９特許出願の特徴を組み込む機器においてもより高い品質を有する。本発明との組み合わせにおいて、これはスポイルされた信号をもたらすであろう。ここでは、スポイラーを取り除いた後、信号が、標準規格のＭビットＰＣＭ信号よりもずっと高い品質を有する結果になる。
【００２８】
上述された実施例は、本発明を限定するのではなくむしろ例証するものであり、当業者であれば添付される請求項の見地から離れることなく複数の他の実施例を設計することが可能であろうということが留意されるべきである。請求項において、括弧内に置かれた何れの参照符号も請求項を限定するものとして解釈されるべきではない。動詞「有する（ｃｏｍｐｒｉｓｉｎｇ）」は、請求項に記載されるもの以外の他の構成要素又はステップの存在を除外しない。本発明は、いくつかの別個の構成要素を有するハードウェアによって、また適切にプログラムされたコンピュータによって実施されることができる。いくつかの手段を列挙する装置請求項において、これら手段のいくつかは、ハードウェアの同一のアイテムによって実現されることができる。特定の方策が相互に異なる従属請求項に記されているという単なる事実は、これら方策の組み合わせが有利に使用されることができないということを示すものではない。
【００２９】
要約すると、コンテンツの配信が提供され、ここでは、スポイルされたコンテンツを得るために少なくとも１つのスポイラーがコンテンツに加えられ、このスポイルされたコンテンツが配信される。実施例において、このスポイルされたコンテンツは、現行の工業フォーマットと同様に他の工業フォーマットにも適合し、この他の工業フォーマットにおいて、該スポイラーは取り除かれることが可能である。他の実施例において、前記スポイルされたコンテンツからどのようにして該スポイラーを取り除くのかを示すデスポイル情報が与えられる。
【図面の簡単な説明】
【図１】本発明の実施例によるコンテンツの配信を示す。
【図２】従来技術のレシーバにおいてスポイルされたコンテンツの再生を示す。
【図３】本発明によるレシーバにおいてスポイルされたコンテンツの再生を示す。
【図４】本発明の実施例によって、どのようにしてスポイラーが信号に埋め込まれることができるのかその第１の例を示す。
【図５】本発明の実施例によって、どのようにしてスポイラーが信号に埋め込まれることができるのかその第２の例を示す。
【国際公開パンフレット】
2004510192.tif 000003
2004510192.tif 000004
2004510192.tif 000005
2004510192.tif 000006
2004510192.tif 000007
2004510192.tif 000008
2004510192.tif 000009
2004510192.tif 000010
2004510192.tif 000011
2004510192.tif 000012
2004510192.tif 000013
2004510192.tif 000014
2004510192.tif 000015
2004510192.tif 000016
2004510192.tif 000017
【国際公開パンフレット（コレクトバージョン）】
2004510192.tif 000018
2004510192.tif 000019
【国際調査報告】
2004510192.tif 000020
2004510192.tif 000021
2004510192.tif 000022